(57)【要約】      （修正有）【課題】着用者の頭部の大きさに関わらず、フードを着用者の頭部にフィットさせることができる衣料を提供する。【解決手段】衣料１は、上衣２と、フード本体３と、上衣２とフード本体３とに接続して設けられたマチ部と、フード本体３を上衣２に繋ぐ接続手段５とを有する。接続手段５は、首周りに沿って上衣２とフード本体３を繋ぐスライドファスナー６であり、スライドファスナー６には第１スライダー７Ａと第２スライダー７Ｂが設けられ、第１スライダー７Ａと第２スライダー７Ｂの間でスライドファスナー６が開くように形成されていることが好ましい。【選択図】図１
0003189089.tif 000002
【実用新案登録請求の範囲】
【請求項１】
上衣と、
フード本体と、
前記上衣と前記フード本体とに接続して設けられたマチ部と、
前記フード本体を前記上衣に繋ぐ接続手段とを有することを特徴とする衣料。
【請求項２】
前記接続手段は、首周りに沿って前記上衣と前記フード本体を繋ぐスライドファスナーであり、
前記スライドファスナーには第１スライダーと第２スライダーが設けられ、第１スライダーと第２スライダーの間で前記スライドファスナーが開く請求項１に記載の衣料。
【請求項３】
前記フード本体は、首周りに沿った全体が、前記接続手段により、前記上衣から分離されるものである請求項１または２に記載の衣料。
【請求項４】
前記マチ部はメッシュ素材から構成されている請求項１〜３のいずれか一項に記載の衣料。
【請求項５】
前記マチ部は伸縮素材から構成されている請求項１〜４のいずれか一項に記載の衣料。
【請求項６】
前記マチ部の両端部に、上下方向に延びる弾性部材が設けられている請求項１〜５のいずれか一項に記載の衣料。
【考案の詳細な説明】
【技術分野】
【０００１】
本考案は衣料に関するものであり、詳細には、フードを備えた衣料に関するものである。
【背景技術】
【０００２】
近年、スポーツの際の安全性や身体保護に対する意識が高まっており、例えば、スキーやサイクリングの際にヘルメットを装着する場合がある。一方、このようなスポーツの際には、防寒対策としてフードを備えた衣料を着用する場合があり、この場合、ヘルメットをかぶらない状態でフード付きの衣料を着用したとしても、これをそのままヘルメットをかぶった状態で着用し、フードをかぶることは難しかった。これに対して、特許文献１には、マチとマチ開閉機構を備えたフードが開示されている。特許文献１に開示されたフードは、ヘルメットをかぶらない状態ではマチをフードの内部に収納し、ヘルメットをかぶる際にマチを展開して使用される。そして、マチはフード自身に設けられ、例えば、着用者の頭上部にマチが形成されている。
【先行技術文献】
【特許文献】
【０００３】
【特許文献１】特開２０１１−１２２２６８号公報
【考案の概要】
【考案が解決しようとする課題】
【０００４】
しかしながら、特許文献１に開示されるフードのように、フード自身にマチを設ける場合は、マチをフードの内部に収納した際に、着用者が頭部に違和感を覚えたり、頭部へのフィット性が低下するおそれがある。本考案は前記事情に鑑みてなされたものであり、その目的は、着用者の頭部の大きさに関わらず、フードを着用者の頭部にフィットさせることができる衣料を提供することにある。
【課題を解決するための手段】
【０００５】
前記課題を解決することができた本考案の衣料とは、上衣と、フード本体と、上衣とフード本体とに接続して設けられたマチ部（襠部）と、フード本体を上衣に繋ぐ接続手段とを有するところに特徴を有する。本考案の衣料は、着用者の頭部の大きさに関わらず、フード本体を着用者の頭部にフィットさせることができる。例えば、スキーやサイクリングなどでヘルメットを装着する際、接続手段によってフード本体と上衣とを分離して両者の距離を広げることによって、ヘルメットをかぶった状態でもフード本体を着用者の頭部にフィットさせることができる。一方、ヘルメットをかぶっていない状態では、接続手段によってフード本体を上衣に繋ぐことにより、フード本体の高さを低くして、フード本体を着用者の頭部にフィットさせることができる。また、フード本体にマチ部を設けるのではなく、フード本体と上衣の間にマチ部を設けているため、マチ部を収納した際にも着用者が違和感を覚えにくい。
【０００６】
接続手段は、首周りに沿って上衣とフード本体を繋ぐスライドファスナーであり、スライドファスナーには第１スライダーと第２スライダーが設けられ、第１スライダーと第２スライダーの間でスライドファスナーが開くことが好ましい。接続手段としてこのようなスライドファスナーを用いれば、第１スライダーと第２スライダーの開き具合を調節することにより、フード本体と上衣との距離を調節することができ、様々な大きさのヘルメットをかぶった状態あるいはヘルメットをかぶらない状態に対して頭部へのフィット性を高めることができる。
【０００７】
フード本体は、首周りに沿った全体が、接続手段により、上衣から分離されるものであることが好ましい。このように上衣とフード本体が形成されていれば、マチ部による調整範囲を広くとることができ、例えば嵩の大きいヘルメットを装着した場合でも頭部へのフィット性を高めることができる。
【０００８】
マチ部はメッシュ素材から構成されていることが好ましい。マチ部をメッシュ素材から構成することにより、フード本体が正面から風を受けても、マチ部を風が通り抜けて、フード本体が脱げたりずれたりしにくくなる。
【０００９】
マチ部は伸縮素材から構成されていることが好ましい。マチ部を伸縮素材から構成することにより、フード本体の着用者の頭部へのフィット性を高めることができる。また、着用者が頭部を前後や左右に動かした際に、フード本体が頭部の動きに追従しやすくなり、着用者が視界を確保しやすくなる。
【００１０】
マチ部の両端部には、上下方向に延びる弾性部材が設けられていることが好ましい。マチ部の両端部に弾性部材を設けることにより、フード本体の開口縁でのフィット性を高めることができる。
【考案の効果】
【００１１】
本考案の衣料は、上衣とフード本体とに接続してマチ部が設けられ、フード本体を上衣に繋ぐ接続手段が設けられているため、接続手段によってフード本体と上衣とを分離して両者の距離を広げたり、あるいは接続手段によってフード本体を上衣に繋ぐことにより、着用者の頭部の大きさに関わらずフード本体を着用者の頭部にフィットさせることができる。また、フード本体と上衣の間にマチ部を設けているため、マチ部を収納した際にも着用者が違和感を覚えにくい。
【図面の簡単な説明】
【００１２】
【図１】本考案の衣料を背面から見た図を表す。
【図２】本考案の衣料を側面から見た図を表す。
【図３】図２に示した衣料において、フード本体と上衣を一部分離した状態を表す。
【図４】図２に示した衣料において、フード本体と上衣を全部分離した状態を表す。
【考案を実施するための形態】
【００１３】
本考案の衣料について、図面を参照して説明する。なお、本考案は、図面に示された実施態様に限定されるものではない。図１には、本考案の衣料の胸部から上の部分を背面から見た図を示し、図２には、図１に示した衣料を側面から見た図を示す。図３および図４は、図２に示した衣料において、フード本体と上衣が分離した状態を表しており、図３ではフード本体が上衣から一部分離した状態が示され、図４ではフード本体が上衣から全体に分離した状態が示されている。
【００１４】
衣料１は、上衣２とフード本体３を有する。上衣２は、着用者の上半身に装着される部分であり、下衣と繋がっていてもよい。上衣２は、袖を備えていても備えていなくてもよく、袖を備える場合の袖の長さは特に限定されない、フード本体３は着用者の頭部を覆う部分であり、顔面を出すための開口を有する。本考案の衣料としては、フードを備えた上衣、フードを備えたつなぎ（上衣とズボンが一体化した衣料）等が挙げられ、具体的には、防寒服、作業服、防護服、レインコート、パーカー等が挙げられる。
【００１５】
上衣２とフード本体３の構成は特に限定されない。上衣やフード本体は、例えば、表地と裏地とを有し、表地や裏地の間には、断熱性や保温性等の機能を高めるために、繊維塊等が配されていてもよい。なお表地とは、上衣やフード本体の外側に位置する生地（シート部材）を意味し、裏地とは、上衣やフード本体の着用者側に位置する生地（シート部材）を意味する。表地や裏地は、布材料（織布、編布、不織布等）やプラスチックフィルム等から構成されればよい。また、後述するマチ部についても、このような素材から構成されればよい。
【００１６】
フード本体３には、内部に絞り紐が挿通されていてもよい。絞り紐は、例えば、フード本体３の開口縁に沿って配される。
【００１７】
衣料１は、上衣２とフード本体３とに接続してマチ部４が設けられ、さらにフード本体３を上衣２に繋ぐ接続手段５が設けられる（図３および図４を参照）。衣料１は、接続手段５により上衣２とフード本体３を繋ぐことでマチ部４が収納され、マチ部４が衣料１の外側に露出しないように形成される。図１および図２には、マチ部４が収納された状態の衣料１が示されており、マチ部４は衣料１の着用者側に収納されている。一方、図３および図４に示すように、接続手段５により上衣２とフード本体３を分離することでマチ部４が展開され、マチ部４が衣料１の外側に露出するように形成される。
【００１８】
マチ部４は、上衣２に対しては、上衣２の首周りに接続していることが好ましい。一方、フード本体３に対しては、フード本体３の下端部に接続していることが好ましい。例えば、マチ部４は、フード本体３の下端から３０ｍｍ以内（より好ましくは２０ｍｍ以内であり、さらに好ましくは１０ｍｍ以内）の部分に接続していることが好ましい。
【００１９】
接続手段５は、フード本体３を上衣２に繋ぎ止め、またフード本体３と上衣２とを分離できるものであれば特に限定されず、スライドファスナー、面ファスナー、ボタンとボタンホール、スナップボタン、ホック等を用いることができる。図面では接続手段５としてスライドファスナー６が示されている。なお、接続手段５によってフード本体３と上衣２とを分離する際、フード本体３と上衣２とは一部が分離するものであってもよく、全体が分離するものであってもよい。
【００２０】
衣料１は上記のように構成されているため、着用者の頭部の大きさに関わらず、フード本体３を着用者の頭部にフィットさせることができる。例えば、スキーやサイクリングなどでヘルメットを装着する際、接続手段５によってフード本体３と上衣２とを分離してマチ部４を展開して、両者の距離を広げることによって、フード本体３の高さを高くして、ヘルメットをかぶった状態でもフード本体３を着用者の頭部にフィットさせることができる。一方、ヘルメットをかぶっていない状態では、接続手段５によってフード本体３を上衣２に繋ぐことにより、フード本体３と上衣２との距離を縮めて、フード本体３の高さを低くして、フード本体３を着用者の頭部にフィットさせることができる。また衣料１では、フード本体３にマチ部４を設けるのではなく、フード本体３と上衣２の間にマチ部４を設けているため、マチ部４を衣料１の着用者側に収納しても、着用者が違和感を覚えにくい。さらに、フード本体３にマチ部４を設けないことにより、フード本体３の有する機能を低下させることなく、フード本体３によって着用者の頭部を好適に保護することができる。
【００２１】
衣料１では、フード本体３の首周りに沿った全体が、接続手段５により、上衣２から分離されるものであることが好ましい。接続手段５としてスライドファスナー６を用いる場合は、スライドファスナー６は、フード本体３の首周りに沿った全体にわたって延在していることが好ましい。このように上衣２とフード本体３が形成されていれば、マチ部４による調整範囲を広くとることができ、例えば嵩の大きいヘルメットを装着した場合でも頭部へのフィット性を高めることができる。
【００２２】
接続手段５としては、スライドファスナー６を用いることが好ましい。スライドファスナーを用いることにより、上衣２とフード本体３とを簡単に分離したり繋げることができ、またマチ部４を収納することも簡単に行うことができ、操作性が向上する。
【００２３】
スライドファスナー６は、スライダーを移動させることにより開閉できるものであれば特に限定されず、金属ファスナー、プラスチックファスナー、コイルファスナー等を用いることができる。
【００２４】
スライドファスナー６にはスライダー７が２つ設けられ、スライダー７をスライドファスナー６の中央部から両端部に向かって移動させることにより、スライドファスナー６が開くものであることが好ましい。すなわち、スライドファスナー６には、第１スライダー７Ａと第２スライダー７Ｂが設けられ、第１スライダー７Ａと第２スライダー７Ｂの間でスライドファスナー６が開くことが好ましい。この場合、第１スライダー７Ａ側のスライドファスナー６の端部と第１スライダー７Ａの間、および第２スライダー７Ｂ側のスライドファスナー６の端部と第２スライダー７Ｂの間は、スライドファスナー６は閉じていることとなる。図面には、このように構成されたスライドファスナーが設けられた衣料が示され、図１および図２ではスライドファスナーが閉じた状態が示され、図３ではスライドファスナーが一部開いた状態が示されている。スライドファスナー６に第１スライダー７Ａと第２スライダー７Ｂが設けられていれば、第１スライダー７Ａと第２スライダー７Ｂの開き具合を調節することにより、フード本体３と上衣２との距離を調節することができ、様々な大きさのヘルメットをかぶった状態あるいはヘルメットをかぶらない状態に対して頭部へのフィット性を高めることができる。
【００２５】
衣料１は、図４に示すように、第１スライダー７Ａがスライドファスナー６の一方側の端部にあり、第２スライダー７Ｂがスライドファスナー６の他方側の端部にある状態で、フード本体３の首周りに沿った全体が上衣２から分離することが好ましい。この場合は、第１スライダー７Ａと第２スライダー７Ｂの開き具合によってフード本体３の高さを調節できるだけなく、フード本体３を首周りに沿った全体で上衣２から分離することによってもフード本体３の高さを調節することができ、広範囲にわたって頭部へのフィット性を高めることができる。
【００２６】
マチ部４は、例えば、ヘルメットをかぶった際にフード本体３が着用者の頭部に好適にフィットするように、上下方向（着用者の身長方向に相当）の長さを適宜調整して形成すればよい。マチ部４の上下方向の長さは、例えば、首周りの中央部で３ｃｍ〜１５ｃｍ程度（好ましくは５ｃｍ〜１２ｃｍ程度）あればよい。マチ部４の上下方向の長さは、首周りの両端部の方が中央部よりも短いことが好ましく、このようにマチ部４を形成することによりフード本体３の着用者の頭部へのフィット性を高めることができ、特に、フード本体３の開口縁でのフィット性を高めることができる。なお、マチ部４の長さは無負荷状態（すなわちそのまま置いた状態）において測定するものとする。
【００２７】
マチ部４には、両端部に、上下方向に延びる弾性部材８が設けられることが好ましい（図４を参照）。弾性部材８は伸張状態でマチ部４に取り付けられることが好ましい。マチ部４の両端部に弾性部材８を設けることにより、フード本体３の開口縁でのフィット性を高めやすくなる。また、接続手段５としてスライドファスナー６を採用した場合などは、マチ部４の上下方向の長さを両端部で短く形成しても、フード本体３が上衣２の直上に来るように、フード本体３と上衣２にスライドファスナー６を設けやすくなる。
【００２８】
マチ部４は、伸縮素材から構成されていることが好ましい。マチ部４を伸縮素材から構成することにより、フード本体３の着用者の頭部へのフィット性を高めやすくなる。また、着用者が頭部を前後や左右に動かした際に、フード本体３が頭部の動きに追従しやすくなり、着用者が視界を確保しやすくなる。
【００２９】
マチ部４は、メッシュ素材から構成されていることが好ましい。マチ部４をメッシュ素材から構成することにより、マチ部４に通気部が形成され、フード本体３が正面から風を受けても、マチ部４を風が通り抜けて、フード本体３が脱げたりずれたりしにくくなる。特に、スキーやサイクリングなどでヘルメットを装着してフード本体３をかぶる際など、フード本体３は正面から風を強く受けやすいところ、マチ部４を展開してフード本体３をかぶることで、マチ部４を通って風が通り抜けて、フード本体３が脱げにくくなる。
【００３０】
なお、上記の説明では、着用者の頭部の大きさが変わる例として、スキーやサイクリングなどでヘルメットをかぶる場合を示したが、本考案は当該用途に限定されるものではない。例えば、作業時にヘルメットをかぶる際に本考案の衣料を用いてもよく、またヘルメットに限らず頭部に物品を装着したり、髪型を変化させて頭部を大きくする場合などにも本考案の衣料を適用できる。
【符号の説明】
【００３１】
１：衣料
２：上衣
３：フード本体
４：マチ部
５：接続手段
６：スライドファスナー
７：スライダー、７Ａ：第１スライダー、７Ｂ：第２スライダー
８：弾性部材
【図１】
0003189089.tif 000003
【図２】
0003189089.tif 000004
【図３】
0003189089.tif 000005
【図４】
0003189089.tif 000006